(57)【特許請求の範囲】
【請求項１】
薬剤を一包化した薬包を複数帯状に連続して配置した薬包体を収容する服薬収容容器体であって、
一端面に収容開口を有する収容容器及び前記収容開口を閉じる蓋体を有し、前記容器本体の側面に前記薬包体を引き出し可能とするスリット状取出し口が設けられてなる紙製の容器本体と、前記容器本体の前記スリット状取出し口に設けられた紙製の接触体とを備え、
前記接触体は、ベース部、外傾斜部及び斜面裏面部を備え、前記ベース部は前記容器本体の前記スリット状取出し口が形成されている側面の内側に配置され、前記外傾斜面は前記スリット状取出し口の下端側より前記容器本体側の外斜め方向に延び、前記斜面裏面部は前記外斜面部から折り返えされており、
前記スリット状取出し口が形成されている側面の前記スリット状取出し口の下方にスリット状差し込み口が設けられているとともに、前記スリット状差し込み口に対応して、前記ベース部にスリット状差し込み貫通口が設けられており、
前記スリット状取出し口の内側から前記外斜面部と前記斜面裏面部とを挿通させて、前記外斜面部から折り返された前記斜面裏面部の先端に形成されている差し込み突片を、前記スリット状差し込み口及び前記スリット状差し込み貫通口に差し込み、前記接触体をくちばし形状に形成して前記容器本体に組立係止することを特徴とする服薬収容容器体。
【請求項２】
前記接触体の前記斜面裏面部に設けられた差し込み突片は、渦巻き状に巻き込まれた薬包体に作用してその逆戻りを防止するための逆戻り防止手段として機能することを特徴とする請求項１に記載の服薬収容容器体。
【請求項３】
薬剤を一包化した薬包を複数帯状に連続して配置した薬包体を収容する服薬収容容器体であって、
一端面に収容開口を有する収容容器及び前記収容開口を閉じる蓋体を有し、前記容器本体の側面に前記薬包体を引き出し可能とするスリット状取出し口が設けられてなる紙製の容器本体と、前記容器本体の前記スリット状取出し口に設けられた紙製の接触体とを備え、
前記接触体は、ベース部、外傾斜部及び斜面裏面部を備え、前記ベース部は前記容器本体の前記スリット状取出し口が形成されている側面の内側に配置され、前記外傾斜面は前記スリット状取出し口の下端側より前記容器本体側の外斜め方向に延び、前記斜面裏面部は前記外斜面部から折り返えされ、前記斜面裏面部を前記容器本体に組立係止して前記接触体がくちばし形状に形成されており、
更に、前記接触体の前記ベース部の両側に折り曲げ可能に一対の狭窄部が延設され、折曲された前記一対の狭窄部が前記容器本体の内側に配置されることを特徴とする服薬収容容器体。
【請求項４】
前記容器本体の内底面には、一対の逆Ｖ形状の横部を有する底部材が配置され、渦巻き状に巻き込まれた薬包体は、前記底部材の前記一対の横部間に収容されることを特徴とする請求項１又は３に記載の服薬収容容器体。
【発明の詳細な説明】
【技術分野】
【０００１】
本発明は、調剤された薬剤を一包化した複数の薬包を帯状に連続配置した薬包体を収容する服薬収容容器体に関する。
【背景技術】
【０００２】
従来から、薬局や医院で一包化された薬包を帯状に連続配置した薬包体を服用する際には、薬包体から薬包を一つ一つ切り離して服用するため、手間がかかり、高齢者では、朝昼夕に３回服用する場合などは、服用を忘れやすく、薬包を切り離した状態では、服用する薬剤自体を間違いやすいものであった。そこで、薬包体から切り離した薬包を、服用時点毎に区分けしたボックスに仕分けできるものがあったが、置くスペースを取りやすく、またそのボックス自体をひっくり返す恐れがあった。また、長い薬包体を折り畳んで箱体に詰めて取り出すものがあるが、薬が潰れやすく、また、カプセルの薬剤の場合には折り畳まれているため、取り出し口にひっかかり取り出しにくいなどの欠点があった。  また、老健など高齢者施設では、スタッフが複数の患者(住人)の薬を管理しているが、薬包体になったこの薬剤を管理することは、複雑となりがちであり、改善が求められていた。
【先行技術文献】
【特許文献】
【０００３】
【特許文献１】実用新案登録第３１９１５２３号公報
【発明の概要】
【発明が解決しようとする課題】
【０００４】
従来技術として特許文献１に示されるように、処方された薬剤を一包化した帯状のシートを蛇腹状に折って収納し、上面の開口部からシートの端を引き出し、上面の開口部の横の２本の切れ込みを通すことによってシートを固定する「お薬便利ストッカー」があるが、使用初めに２本の切り込み口にシートを通す際、厚みのある薬剤が内包されているシートの場合には、通しにくい恐れがあり、不便なものであった。  他方、箱体に処方された薬剤を一包化した帯状のシートを渦巻き状のロール形式に巻いて収納し、開口部を上方や横方に位置させて、開口部からシートの端を引き出して使用した場合では、シートを引き出した際に、巻いた帯状のシート自体が巻かれた状態で開口部側に引き付けられて、一つの分包を切り離しシートから手を離すと、巻かれたシートの自重で下方に移動してしまい、シートの端が開口部から容器内に引き戻されて、次に使用する際にシートの端が持てず、非常に使いづらいものであった。  
【０００５】
本発明の目的は、シンプルで使いやすい薬包体を収容する服薬収容容器体を提供することである。
【課題を解決するための手段】
【０００６】
本発明の服薬収容容器は、薬剤を一包化した薬包を複数帯状に連続して配置した薬包体を収容する服薬収容容器体であって、
一端面に収容開口を有する収容容器及び前記収容開口を閉じる蓋体を有し、前記容器本体の側面に前記薬包体を引き出し可能とするスリット状取出し口が設けられてなる紙製の容器本体と、前記容器本体の前記スリット状取出し口に設けられた紙製の接触体とを備え、
前記接触体は、ベース部、外傾斜部及び斜面裏面部を備え、前記ベース部は前記容器本体の前記スリット状取出し口が形成されている側面の内側に配置され、前記外傾斜面は前記スリット状取出し口の下端側より前記容器本体側の外斜め方向に延び、前記斜面裏面部は前記外斜面部から折り返えされており、
前記スリット状取出し口が形成されている側面の前記スリット状取出し口の下方にスリット状差し込み口が設けられているとともに、前記スリット状差し込み口に対応して、前記ベース部にスリット状差し込み貫通口が設けられており、
前記スリット状取出し口の内側から前記外斜面部と前記斜面裏面部とを挿通させて、前記外斜面部から折り返された前記斜面裏面部の先端に形成されている差し込み突片を、前記スリット状差し込み口及び前記スリット状差し込み貫通口に差し込み、前記接触体をくちばし形状に形成して前記容器本体に組立係止することを特徴とする。
また、本発明の他の服薬収容容器は、薬剤を一包化した薬包を複数帯状に連続して配置した薬包体を収容する服薬収容容器体であって、
一端面に収容開口を有する収容容器及び前記収容開口を閉じる蓋体を有し、前記容器本体の側面に前記薬包体を引き出し可能とするスリット状取出し口が設けられてなる紙製の容器本体と、前記容器本体の前記スリット状取出し口に設けられた紙製の接触体とを備え、
前記接触体は、ベース部、外傾斜部及び斜面裏面部を備え、前記ベース部は前記容器本体の前記スリット状取出し口が形成されている側面の内側に配置され、前記外傾斜面は前記スリット状取出し口の下端側より前記容器本体側の外斜め方向に延び、前記斜面裏面部は前記外斜面部から折り返えされ、前記斜面裏面部を前記容器本体に組立係止して前記接触体がくちばし形状に形成されており、
更に、前記接触体の前記ベース部の両側に折り曲げ可能に一対の狭窄部が延設され、折曲された前記一対の狭窄部が前記容器本体の内側に配置されることを特徴とする。
【発明の効果】
【０００８】
本発明の服薬収容容器体によれば、収容容器本体内に収容された薬包体を取り出し口からスムーズに引き出しできるので、薬包体の薬剤を確認して取り出しやすい。また、接触体は、スリット状取出し口の下端側にくちばし形状に形成されるので、このくちばし形状を利用して薬包体を分離することができる。また、容器本体の側面のスリット状取出し口の下方にスリット状差し込み開口が設けられているとともに、スリット状差し込み開口に対応して、ベース部にスリット状差し込み口が設けられているので、接触体の外斜面部から折り返された斜面裏面部の差し込み片をスリット状差し込み開口及びスリット状差し込み口に差し込むことによって、接触体をくちばし形状に形成して容器本体に組立係止することができる。
また、本発明の他の服薬収容容器体によれば、容器本体の内底面に一対の逆Ｖ形状の横部を有する底部材が配置されているので、一対の横部が渦巻き状に巻き込まれた薬包体の外形の円弧状に沿うようになり、薬包体をスムーズに引き出すことができる。
【図面の簡単な説明】
【０００９】
【図１】服薬収容容器体の参考例１を示す斜視図である。
【図２】参考例１の容器本体である収容容器と蓋体を示す斜視図である。
【図３】参考例１の容器本体に薬包体を収容した状態を示す側面図である。
【図４】服薬収容容器体の参考例２を示す斜視図である。
【図５】参考例２の収容容器を示す斜視図である。
【図６】参考例２の収容容器の斜視図である。
【図７】参考例２の蓋体の斜視図である。
【図８】（ａ）は参考例２のスリット状取出し口の部分正面図、（ｂ）は参考例２の収容容器と蓋体との係合部分の部分断面図である。
【図９】服薬収容容器体の参考例３を示す斜視図である。
【図１０】参考例３の収容容器の側面図である。
【図１１】参考例３の別の実施例の収容容器の側面図である。
【図１２】参考例３の収容容器と蓋体との係合部分の断面図である。
【図１３】服薬収容容器体の参考例４を示す斜視図である。
【図１４】参考例４の容器本体に薬包体を収容した状態を示す側面図である。
【図１５】（ａ）は参考例４の薬包体の斜視図、（ｂ）は参考例４の薬包体の断面図である。
【図１６】服薬収容容器体の参考例５を示す斜視図である。
【図１７】参考例５のスリット状取出し口１２の断面図である。
【図１８】本発明の服薬収容容器体の実施例を示す斜視図である。
【図１９】実施例の容器本体の断面図である。
【図２０】実施例の部品Ｂの展開平面図である。
【図２１】実施例の部品Ｃの斜視図である。
【発明を実施するための形態】
【００１０】
以下、服薬収容容器体の参考例及び本発明の服薬収容容器体の実施例の形態を図面に基づき詳細に説明する。  図１〜１５は、服薬収容容器体の参考例であり、図において、１は服薬収容容器体、１０は容器本体、２は収容容器、３は蓋体、４は逆戻り防止手段、５は薬包体である。服薬収容容器体１は、図１０で示すように、薬剤を一包化した薬包５０，５０，５０、・・・を複数帯状に連続して配置した薬包体５を収容するものであり、収容容器２と蓋体３とでなる容器本体１０で形成されている。服薬収容容器体１は、プラスチック製や紙製などで形成されるものである。  
【００１１】
（参考例１）  図１〜３に示されるように、参考例１の容器本体１０の収容容器２の一端面には、薬包体５を収容容器２内に収容するための収容開口２１が形成されている。蓋体３はこの収容開口２１を閉じるものであり、収容容器２の収容開口２１の周縁部２１ａに蓋体３の開口３１の周縁部３１ｂが係合されて閉じられるものである。  
【００１２】
容器本体１０の側面１１には、容器本体２内に収容する薬包体５の先端を引き出し可能とするスリット状取出し口１２が設けられている。スリット状取出し口１２は、収容容器２の側面１１ａに設けられている取出し口１２ａと、蓋体３の側面１１ｂに同様に設けられている取出し口１２ｂとで構成されており、収容容器２と蓋体３とが係合された取出し口１２ａと取出し口１２ｂとが一体となってスリット状取出し口１２が形成されることになり、容器本体２内に収容されている薬包体５を引き出し可能となるものである。このスリット状取出し口１２の短手方向の開口幅は、薬包体５の薬剤を一包化した薬包５０の厚み以上であればよく、例えば、薬剤の厚さから少なくとも１５〜１８ｍｍであればよいものであり、またスリット状取出し口１２の長手方向の開口幅は薬包体５の横幅とほぼ同じ長さであればよいものであり、一般的な薬包体５の横幅の約７０ｍｍであればよい。  
【００１３】
引き出された薬包体５がスリット状取出し口２２から容器本体１０内に逆戻りするのを防止する逆戻り防止手段４が、容器本体１０に設けられている。スリット状取出し口１２から引き出された薬包体５は、収容されている薬包体５の自重等による容器本体１０内に逆戻りさせる力が働くが、逆戻り防止手段４は、その力より大きくなるように形成されているものであり、薬包体５を挟んだりせずに、即ち拘束せずに薬包体５に接する接触体４０でなるものである。  
【００１４】
参考例１の逆戻り防止手段４である接触体４０は、スリット状取出し口１２の長手方向の一端より外斜め方向でかつスリット状取出し口１２より離れる方向に延設された外斜面部４１と、この外斜面部４１から連続して容器本体１０内に延設され内斜面部４２とでなる。外斜面部４１と内斜面部４２とからなる接触体４０の合計長さを、薬包体５の一つの薬包５０分の長さと等しい又はこの長さよりも長いように設ければよいものである。この長さにすることによって、スリット状取出し口２２から引き出された薬包体５を容器本体１０内に逆戻りさせることがないものである。即ち、薬包体５が接触体４０に接することにより、薬包体５の先の部分が容器本体１０内に位置する薬包体５の自重等により引き戻されようとする力に抗して、引き出された状態を保つものである。  
【００１５】
収容容器２と蓋体３とが係合された際に、接触体４０の外斜面部４１は、収容容器２の外斜面部４１ａと蓋体３の外斜面部４１ｂとにより形成され、同様に、内斜面部４２は、収容容器２の内斜面部４２ａと蓋体３の内斜面部４２ｂとにより形成されることになり、接触体４０は、収容容器２の接触体４０ａと蓋体３の接触体４０ｂとにより構成されることになる。  
【００１６】
接触体４０の内斜面部４２の容器本体１０内の先部分には円柱形状でなる円弧状の先端部４３が設けられており、引っ張り出される薬包体５を傷付けることなく、薬包体５の薬包５０の袋自体を破れないようにすることができるものである。スリット状取出し口１２の端部と内斜面部４２や先端部４３との開口間隔は、薬包体５の薬剤を一包化した薬包５０の厚み以上であればよく、例えば、薬剤の厚さから１５〜１８ｍｍであればよいものである。  
【００１７】
内斜面部４２の先端部４３は、容器本体１０内に突出した状態で形成されているため、図３のように、容器本体１０内において、渦巻き状に巻き付けられて収容されている薬包体５（一点鎖線にて示す）からスリット状取出し口１２に向けて引き出される薬包体５ａと巻き付けられた薬包体５とを分離する接触部分となり、薬包体５を引き出さす際に、この先端部４３により巻き付けられた薬包体５が押し戻されて引き出される薬包体５と巻き付けられた薬包体５とを確実に分離することができる。そのため、スリット状取出し口１２方向に引き寄せられる渦巻き状の薬包体５が押し戻されると同時に薬包体５の自重にて下方に移動して、薬包体５から薬包５０を切り離した後に薬包体５から手を放しても、薬包体５自体の自重等の力が働かず、また、引き出されている薬包体５が接触体４０、即ち外斜面部４１、内斜面部４２、先端部４３とに接触することにより、薬包体５が容器本体１０内には引き戻されずに、引き出された状態を保つものである。  
【００１８】
即ち、内斜面部４２の先端部４３は、渦巻き状に巻き付けられた薬包体５からスリット状取出し口１２に向けて引き出される薬包体５ａと巻き付けられた薬包体５とを分離する逆戻り防止手段として機能する分離接触体となるものである。  
【００１９】
接触体４０の外斜面部４１の先端部乃至その近傍の表面には小突起４４が長手横方向に間隔を置いて複数形成されているものである。引き出された薬包体５から一つの薬包５０を切り離す際に、薬包５０、５０間のミシン目５１を外斜面部４１の先端部分に合わせて薬包５０を切り離す際に、横方向にずれにくく、薬包５０の切り離しが容易になるものである。具体的には、例えば小突起４の幅２ｍｍ、高さ２ｍｍの山形状に丸みを持って４ｍｍ間隔で形成されている。なお、すべり止めとして、ゴム材等の弾性体を用いても良いものである。  
【００２０】
接触体４０自体は、容器本体１０の外方に突出し、所謂くちばし形状に形成されており、外斜面部４１の反対側にはへこみ部４０ａが形成されており、薬包体５から薬包５０を切り離す際に、薬包体５を手の指にて外斜面部４１に押し付ける際に、反対側のへこみ部４０ａに他の指を引っかけて押さえることができ、薬包５０を安定的に切り離しが可能となる。  
【００２１】
（参考例２）  図４〜８に示されるように、参考例１と同様に、参考例２の容器本体１０は収容容器２と蓋体３とでなる。容器本体１０の収容容器２の一端面には、薬包体５を収容容器２内に収容するための収容開口２１が形成されている。蓋体３はこの収容開口２１を閉じるものであり、収容容器２の収容開口２１の周縁部２１ａに蓋体３の開口３１の周縁部３１ｂが係合して閉じられるものである。容器本体１０の側面１１には、スリット状取出し口１２が設けられ、収容容器２の側面に設けられている取出し口１２ａと、蓋体３の側面に設けられている取出し口１２ｂとで構成されており、収容容器２と蓋体３とが係合された取出し口１２ａと取出し口１２ｂとが一体となってスリット状取出し口１２が構成されることになり、容器本体２内に収容されている薬包体５を引き出し可能となるものである。  
【００２２】
参考例２の逆戻り防止手段４の接触体４０は、スリット状取出し口１２の長手方向の一端より外斜め方向でかつスリット状取出し口１２より離れる方向に延設される外斜面部４１が設けられ、この外斜面部４１から容器本体１０内に連続して延設される内斜面部４２ａが設けられている。内斜面部４２ａの先端には湾曲先端部４３ａが形成されており、湾曲先端部４３ａは参考例１の先端部４３と同様の機能を有する。また、接触体４０の長さ、即ち外斜面部４１と内斜面部４２との長さが薬包体５の一つの薬包５０分の長さと等しい又はこの長さよりも長いように設ければよいものである。  
【００２３】
収容容器２と蓋体３とが係合された際に、接触体４０の外斜面部４１は、収容容器２の外斜面部４１ａと蓋体３の外斜面部４１ｂとにより構成され、同様に、内斜面部４２は、収容容器２の内斜面部４２ａと蓋体３の内斜面部４３ｂとにより構成されることになり、また、湾曲先端部４３ａは、内斜面部４２ａの湾曲先端部４３ａａと内斜面部４１ｂの湾曲先端部４３ｂとで構成され、接触体４０は、収容容器２の接触体４０ａと蓋体３の接触体４０ｂとにより構成されることになる。  
【００２４】
収容容器２の湾曲先端部４３ａａの収容開口２１側には、柱状部４３ｓが突設されており、また、湾曲先端部４３ｂの開口３１側には円弧状内に係止孔４３ｔが設けられている。収容容器２の収容開口２１を閉じるように、蓋体３を収容容器２に係合する際に、湾曲先端部４３ｂの係止孔４３ｔに湾曲先端部４３ａａの柱状部４３ｓが挿入されて、係合するものであり、全体として係合状態を安定させるものである。  
【００２５】
容器本体１の内斜面部４２には、凹部４２１が設けられている。引き出されている薬包体５が凹部４２１の凹部分の形状に沿うことにより、薬包体５の接触体４０への接触長さが増え、容器本体１０内に引き戻そうとする力に抗して、更に薬包体５が引き戻されないものである。  
【００２６】
スリット状取出し口１２の両端近傍である収容容器２と蓋体３との内面には、薬包体５の両横端部分に接する狭窄部４６、４６が設けられており、図８（ａ）のように、この狭窄部４６、４６間の幅ｓは、薬包体５の横幅より狭く形成されており、狭窄部４６、４６に薬包体５の横幅両端部が接触することにより、薬包体５を容器本体１０内に引き戻そうとする力に抗して、薬包体５が引き戻されないものである。  
【００２７】
図８（ｂ）は、参考例２の収容容器２と蓋体３との係合部分の部分断面図であり、収容容器２の収容開口２１の周縁部２１ａに段差周部２２が設けられ、この段差周部２２に蓋体３の周縁部３１ｂが係合され、収容容器２と蓋体３が係合されることにな
る。そして、段差周部２２の外斜面部４１が設けられている一辺の外面に係合突部２３ａが設けられ、その係合突部２３ａが設けられている位置に合うように、蓋体３の周縁部３１ｂの内側面に係合凹部３３ｂを設けられている。収容容器２と蓋体３を係合させた際に、図８（ｂ）に示すように、係合突部２３ａと係合凸部３３ｂとが係合して、収容容器２と蓋体３の外れ防止となる。また、この係合突部２３ａ、係合凸部３３ｂは、外斜面部４１が設けられている反対側の辺が設けられており、より外れ防止となる。  
【００２８】
なお、接触体４０は、内斜面部４２を設けず、外斜面部４１だけで構成しても良いものであり、その場合は、上述したように、外斜面部４１の長さが薬包体５の一つの薬包５０分の長さと等しい又はこの長さよりも長いように設ければよいものである。この場合、スリット状取出し口１２の近傍に設けられ、少なくとも薬包体５の一方の横端部に接する狭窄部４６を設ければ、相まって更に逆戻り防止手段４の効果を高めるものである。  
【００２９】
（参考例３）図９、１０に示されるように、参考例３の逆戻り防止手段４の接触体４０は、スリット状取出し口１２の長手方向の一端より外斜め方向でかつスリット状取出し口１２より離れる方向に延設される外斜面部４１と、外斜面部４１から容器本体１０内に延設されスリット状取出し口１２と距離をおいて対面する内斜面部４２ａとで形成されている。内斜面部４２ａの先端には湾曲先端部４３ａが形成されており、湾曲先端部４３ａは参考例１の先端部４３と同様の機能を有する。また、接触体４０の長さ、即ち外斜面部４１と内斜面部４２との長さが少なくとも薬包体５の一つ分の薬包５０の長さ以上であることがよいものである。  
【００３０】
参考例３の接触体４０の内斜面部４２にて、引き出される薬包体５との接触長さが多くなるため、逆戻り防止の機能をより強化できるものである。また、内斜面部４２がスリット状取出し口１２と対面する形成されているために、外斜面部４１に位置する薬包体５が内斜面部４２ａにて方向が変わり、薬包体５を容器本体１０内に引き戻そうとする力に抗して、薬包体５がより引き戻されないものである。  
【００３１】
図１１は、参考例３の別の実施例であり、接触体４０の内斜面部４２に凹部４２１が設けられている。引き出されている薬包体５が凹部４２１の凹部分の形状に沿うことにより、薬包体５の接触体４０への接触長さが増え、容器本体１０内に引き戻そうとする力に抗して、更に薬包体５が引き戻されないものである。  
【００３２】
図１１に示されるように、容器本体１０内に収容される薬包体５を巻き付ける芯体１３を容器本体の中央部分の収容容器２と蓋体３の間に設けてよいものであり、薬包体５を容器本体１０内に収容し易くするものである。芯体１３自体は着脱式であっても良い。  
【００３３】
図１２は、収容容器２と蓋体３との係合部分の部分断面図であり、収容容器２の収容開口２１の周縁部２１ａと蓋体３の開口部３１の周縁部３１ｂとにそれぞれ段差周部２２、３２を形成して、段差周部２２、３２が係合されて収容容器２と蓋体３とが係合されることになる。そして、段差周部２２、３２の一辺に係合凹部２３、係合凸部３３を形成して、この係合凹部２３と係合凸部３３とが係合して、収容容器２と蓋体３の外れ防止となる。この係合凹部２３、係合凸部３３は、段差周部２２、３２が設けられている辺の反対側の辺にも設けられている。  
【００３４】
図９、１０のように、係合凹部２３、係合凸部３３が形成されている収容容器２収容開口２１の周縁部２１ａと蓋体３の収容開口３１の周縁部３１ｂの外側には、周方向に位置をずらして近接する突起部６、６が形成されている。この突起部６、６は、係合凹部２３、係合凸部３３が形成されている辺とは異なる辺に形成されており、収容容器２と蓋体３との係合を外す際に、指にて突起部６、６を反対方向の力を加えることにより、収容容器２と蓋体３との係合状態を外しやすくするものである。なお、突起部６、６を設けない場合は、スリット状取出し口１２の開口部分に指を引っかけて係合状態を外しても良いものである。  
【００３５】
（参考例４）図１３，１４に示されるように、参考例４では、逆戻り防止手段４の接触体４は、容器本体１０内に、容器本体１０の側面の内面より所定距離をおいて、スリット状取出し口１２の長手方向で、収容容器２と蓋体３の内面間に設けられた接触支持杆４５でなるものである。図１４のように、接触支持杆４５は、スリット状取出し口１２の近傍で、外斜面部４１の内方への延長線上の付近に形成されており、外斜面部４１と相まって、薬包体５（一点鎖線で示す）が容器本体１０内に引き戻されないように機能するものである。接触支持杆４５は、図１４のように複数あっても良く、その場合は、接触支持杆４５ａ、４５ｂが連携するように配置するものであり、薬包体５における接触部分の長さが増してより良いものである。  
【００３６】
そして、接触支持杆４５自体が、上記した参考例１、２、３に説明した接触体４の先端部４３、４３ａに相当するものとなり、容器本体１０内において、渦巻き状に巻き付けられて収容されている薬包体５からスリット状取出し口１２に向けて引き出される薬包体５ａと巻き付けられた薬包体５とを分離する接触部分となり、薬包体５を引き出さす際に、引き出される薬包体５と巻き付けられた薬包体５とを確実に分離することができるものである。即ち、また、接触支持杆４５は参考例１、２、３の先端部４３、４３ａと同様の機能を有する。  
【００３７】
図１５（ａ）、（ｂ）にて、薬包体５について述べる。薬包体５は、数種類の薬剤を一包化した薬包５０、５０、を複数帯状に連続して配置したものである。薬包体５を作製するのは自動的に薬剤を一包化する分包装置で行うものである。薬包体５は、薬包５０の周囲を圧着部５２で圧着されており、薬包５０と薬包５０との間はミシン目５１が形成されていて、薬包体５から薬包５０を切り離し可能となっているものである。  
【００３８】
図１５（ｂ）に示されるように、薬包５０は圧着部５２でシールされる前は、一端が袋状で他端が開放されており、その開放されている側の端部５３を圧着して圧着部５２を形成して、薬剤を薬包５０内に内在させるものである。その際に端部５３の外側部分には圧着部分がない部分がある。  
【００３９】
（参考例５）  図１６、１７に示されるように、参考例５では、逆戻り防止手段４の接触体４は、容器本体１０内のスリット状取出し口１２の内側近傍に設けられ、薬包体５の幅方向の両横端部に接する狭窄部４６でなるものである。参考例４では、狭窄部４６は、スリット状取出し口１２の両側に設けられているが、片側だけでもよい。図１７に示されるように、狭窄部４６、４６間の幅ｓは、薬包体５の横幅より狭く形成されており、狭窄部４６、４６に薬包体５の横幅両端部が接触することにより、薬包体５を容器本体１０内に引き戻そうとする力に抗して、薬包体５が引き戻されないものである。そして、外斜面部４１が形成されているので、更に薬包体５が引き戻されないものとなる。狭窄部４６が容器本体１０内に位置するために、スリット状取出し口１２に向けて引き出される薬包体５ａと巻き付けられた薬包体５とを分離する接触部分となりうる。  
【００４０】
具体的には、例えば薬包体５の幅方向の一般的な長さである７０ｍｍである場合には、上記狭窄部４６、４６間の幅ｓを６８ｍｍにすればよく、上述したように、図１５（ｂ）に示される薬包体５の開放されている側の端部５３が５ｍｍでフリーな状態となっているため、薬包体５の両横端部が狭窄部４６、４６に接しても、自由に動ける余裕があり、薬包体５を無理なく引き出せて、薬包体５を引き出した状態で、狭窄部４６、４６に薬包体５の横幅両端部が接触することになり、容器本体１０内に引き戻されることなく、保持できるものである。  
【００４１】
（実施例）  図１８〜２１に示すように、本発明の服薬収容容器体の実施例を説明する。実施例は紙製であり、厚紙や段ボール紙で形成されているものであり、紙製であるので、組み立てる展開図にてレイザー加工や金型で切り取り、折り曲げや端を張り合わせて容器本体１０を組み立てて形成することができ、安価に作成することができるものである。  
【００４２】
実施例は、容器本体１０である部品Ａと接触体４となる部品Ｂとから組み立てられて形成される。部分Ａは箱状に形成されており、上面には収容容器２の収納開口２１が形成され、収納開口２１の周縁部２１ａの一辺に蓋体３が一体的に延設されて形成されている。  
【００４３】
蓋体３は、収容容器２の収納開口部２１を塞ぐように形成され、一体に形成されている収納開口部２１の周縁部２１ａの辺と反対側に差し込み部３ａが折れ曲がれるように延設され、この差し込み部３ａが、蓋体３が収納開口２１を塞ぐ際に、収納開口２１の内側に差し込まれて係止するものである。また、蓋体３が設けられている収納開口２１の周縁部２１ａの辺の隣接する辺には、蓋補助部３ｂが形成されている。蓋補助部３ｂは蓋体３が収納開口２１を塞ぐ際に、蓋体３より先に折り曲げて蓋体３の内側に位置するものである。また、実施例では、蓋補助部３ｂは一つであるが、収納開口２１の周縁部２１ａの他の辺に設けてもよい。そして、閉じた蓋体３を開けやすいように、蓋体３が設けられている反対側の収納開口２１の周縁部２１ａに切り込み部２１ｂが設けられており、この切り込む部２１ｂから蓋体３の蓋補助部３ｂを指で持ち上げて開けるものである。  
【００４４】
接触体４となる部品Ｂは、図２０に示すように、一枚に展開される紙製シートでできており、折り曲げ線Ｘにて折り曲げられて、図１８、１９のように、収容容器２のスリット状取出し口１２に内外に装着されるものである。  
【００４５】
接触体４となる部品Ｂは、外斜面部４１と、外斜面部４１から延設され先端に差し込み突片Ｂ２を有する斜面裏面部４０ｂと、外斜面部４１から斜面裏面部４０ｂとは反対側に延設されスリット状差し込む口Ｂ３（スリット状差し込み貫通口を構成する）を有するベース部Ｂ１を備えている。このベース部Ｂ１の両側には折り曲げ可能となり長さの異なる狭窄部４６、４６が延設されている。なお、長さが異なるのは、部品Ｂが部品Ａに装着した状況において、蓋体３を閉じた際に差し込み部３ａの邪魔にならないように一方を短くしているものである。そして、スリット状差し込む口Ｂ３（スリット状差し込み貫通口）には、組立時に差し込み突片Ｂ２が差し込まれ、係止される。  
【００４６】
この部品Ｂを部品Ａに組み込んで装着して配置するには、先ず、外斜面部４１と斜面裏面部４０ｂとをスリット状取出し口１２の内側から外方に差し入れ、ベース部Ｂ１を部品Ａなる容器本体２の側面１１の内側に密着させて配置させ、斜面裏面部４０ｂを折り曲げて、外斜面部４１とでくちばし形状に形成し、斜面裏面部４０ｂの差し込み突片Ｂ２を、容器本体２の側面１１に形成されているスリット状差し込み口１１０とベース部Ｂ１のスリット状差し込む口Ｂ３（スリット状差し込み貫通孔）とを同時に挿通させて係止させ、部品Ｂを部品Ａに装着するものである。そして、ベース部Ｂ１の両側に形成されている狭窄部４６、４６が部品Ａの容器本体１０の内側に配置される。この狭窄部４６、４６は、スリット状取出し口１２の内側の位置では、狭窄部４６、４６間を薬包体５の横幅より小さくして、薬包体５の両横側端部分に接するようになるものである。  
【００４７】
図１９のように、容器本体１０内に差し込まれて内側に突出する差し込み突片Ｂ２の先端は渦巻き状に巻かれた薬包体５に接触するものであり、引き出される薬包体５と巻かれた薬包体５とを分離することができ、逆戻り防止手段となるものである。そして、容器本体１０の外側に位置する外斜面部４１と相まって、逆戻り防止手段となるものである。そして、図３、１４とは反対方向に渦巻き状に巻かれた薬包体５（一点鎖線で示す）を容器本体１０内に収容した場合には、内側に突出する差し込み突片Ｂ２はより薬包体５に接することになり、逆戻り防止の効果をより発揮するものである。また、
差し込み突片Ｂ２を比較的長くすれば、より逆戻り防止の効果が大きいものとなる。  
【００４８】
図２１に示される部品Ｃは、図１９のように、部品Ａの下方となる内側に設置されるものであり、底面Ｃ１の両側には逆Ｖ形状となる横部Ｃ２、Ｃ２が形成されているものである。部品Ａ内に配置された部品Ｃでは、横部Ｃ２の内側部分Ｃ３、Ｃ３が部品Ａなる容器本体１０内の隅部分の内側に斜めに配置されることになり、渦巻き状に巻き込まれた薬包体５（一点鎖線で示す）の外形の円弧状に沿うようになって、スムーズに引き出されることになるものである。なお、同様の機能を果たすものを、上述した実施例に適用しても良いものである。  
【００４９】
外斜面部４１は、図１８、１９に示されるように、ほぼ一直線上に形成されているが、先端部分を上方に反るように構成してもよく、その場合は、薬包体５から薬包５０を切り離す際に、薬包体５のミシン目５１をその先端に合わせやすくなるため、切り離しが容易になる。また、外斜面部４１の先端部分の上面に、薄い板状部材を貼り付けてもよく、その場合には、板状部材の先端にミシン目５１を合わせれば、同様に切り離しが容易となる。板状部材の先端をギザギザの刃形状にしてもよい。即ち、板状部材は切り取り補助具となるものである。また、板状部材の自体の色を変えることにより、複数の容器本体１０を、例えば、朝昼晩のように色分けが可能となる。  
【００５０】
以上のように、服薬収容容器体の逆戻り防止手段は、スリット状取出し口から引き出された薬包体を服薬収容容器体内に逆戻りさせる力より大きくなるように、薬包体を拘束せずに薬包体に接する接触体と、収容容器本体内に、収容容器本体内に収容された薬包体からスリット状取出し口に向けて引き出される薬包体と収容容器本体内に収容された薬包体と分離する接触体と有してなる実施形態でもよいものである。即ち、服薬収容容器体の薬包体に接する接触体と、薬包体を分離する接触体が設けられれば、より効果を発揮するものである。  
【００５１】
服薬収容容器体1が使用される状態は、図１、４、１８にように、スリット状取出し口１２を横方の位置になるように置いて使用しても、また、図９、１３のようにスリット状取出し口１２が上方の位置になるように置いて使用しても良いものであり、使用者が使用し易いように利用できるものである。  そして、服薬収容容器体1内に収容される薬包体５は、渦巻き状に巻かれても、また折り畳まれた状態で収容されても良いものである。  この服薬収容容器体1に動物やキャラクターをデザインしたカバー体を装着しても良く、その場合には、子供に馴染んでもらい、自らが薬を飲むきっかけとなる。また、服薬収容容器体1の側面に「お薬手帳」を保管する保管スペースを形成してもよい。  図示しないが、この服薬収容容器体1同士を連結できるようにして、朝昼晩に服用する薬を区分けして保管しても良いものである。
【符号の説明】
【００５２】
１    服薬収容容器体  １０  容器本体  １１  容器本体の側面  １２  取出し口  ２    収容容器  ２１  収容開口  ３    蓋体  ３１  開口  ４    逆戻り防止手段  ４０  接触体  ５    薬包体  ５０  薬包   
【要約】      （修正有）【課題】シンプルで使いやすい薬包体を収容する服薬収容容器体を提供する。【解決手段】薬剤を一包化した薬包を複数帯状に連続して配置した薬包体を収容する服薬収容容器体１は、一端面に収容開口２１を有する収容容器２及び収容開口を閉じる蓋体３を有し、収容容器の側面に薬包体を引き出し可能とするスリット状取出し口１２が設けられてなる紙製の容器本体１０と、容器本体のスリット状取出し口に設けられた紙製の接触体４０とを備え、接触体は、スリット状取出し口の下端側より外斜め方向に外斜面部４１を延設し、外斜面部の先端より折り返して容器本体側に斜面裏面部４０ｂを延設した後に容器本体に組立係止されてくちばし形状に形成される。【選択図】図１８【図１】
0006876212.tif 000002
【図２】
0006876212.tif 000003
【図３】
0006876212.tif 000004
【図４】
0006876212.tif 000005
【図５】
0006876212.tif 000006
【図６】
0006876212.tif 000007
【図７】
0006876212.tif 000008
【図８】
0006876212.tif 000009
【図９】
0006876212.tif 000010
【図１０】
0006876212.tif 000011
【図１１】
0006876212.tif 000012
【図１２】
0006876212.tif 000013
【図１３】
0006876212.tif 000014
【図１４】
0006876212.tif 000015
【図１５】
0006876212.tif 000016
【図１６】
0006876212.tif 000017
【図１７】
0006876212.tif 000018
【図１８】
0006876212.tif 000019
【図１９】
0006876212.tif 000020
【図２０】
0006876212.tif 000021
【図２１】
0006876212.tif 000022